(57)【要約】【課  題】プールに昇降可能に設置されるプール床において、プール床を昇降させる昇降装置の構造を簡単にすると共に、プール床を傾斜させたり、屈折させることができるようにする。【解決手段】プール床１を構成するプール床１ａ及びプール床１ｂをヒンジ１２により連結して屈折可能とし、密閉した角パイプよりなるフレーム１４と中空状の床材より構成し、重量よりも浮力が勝るように構成すると共に、剛性を持たせる。プール床側壁には、ストッパーを突設してプール側壁の段に停止して上昇位置を位置決めできるようにする。プール床１は一側と他側とヒンジ両側に定間隔でワイヤー２１、２２、２３、２４を連結し、シーブ２５を介して束ねてプール外に導出し、油圧シンダー２７、２８、２９、３０により引き込み或いは繰出すことができるようにする。【選択図】  図３
2004270288.tif 000002
【特許請求の範囲】
【請求項１】
プールに昇降可能に設置されるプール床であって、少なくとも一部が中空で、全体の重量よりも浮力が勝り、多数の人が載っても撓んで水面下に沈むことのない程度の浮力と剛性を有しており、下面には複数か所にワイヤー等が連結されると共に、該ワイヤー等がプール外に導出され、ワイヤー等を繰出し或いは引込む作動装置に連結されることを特徴とするプール床。
【請求項２】
プール床側端面にストッパーを突設する一方、プール側壁に上記ストッパーに係止してストッパーの上昇を阻止する係止部を設けたことを特徴とする請求項１記載のプール床。
【請求項３】
ワイヤー等がプール床の下面一側に適当間隔で連結される第１の複数のワイヤー等と、プール床の下面他側又は該他側と上記一側の間の中間部に適当間隔で連結される第２の複数のワイヤー等とからなり、作動装置が、束ねられる上記第１の複数のワイヤー等に連結される第１の作動装置と、束ねられる上記第２の複数のワイヤー等に連結される第２の作動装置とからなることを特徴とする請求項１記載のプール床。
【請求項４】
プール床が複数に分割されてヒンジにより互いに屈折可能に連結されると共に、ワイヤー等がプール床の下面一側に適当間隔で連結される第１の複数のワイヤー等と、プール床の下面他側に適当間隔で連結される第２の複数のワイヤー等と、プール床下面の屈折箇所或いは屈折箇所近くに適当間隔で連結される第３の複数のワイヤー等とからなり、作動装置が、束ねられる上記第１の複数のワイヤー等に連結される第１の作動装置と、束ねられる上記第２の複数のワイヤー等に連結される第２の作動装置と、束ねられる上記第３の複数のワイヤー等に連結される第３の作動装置と、上記第１、第２及び第３の作動装置を制御する制御装置とからなることを特徴とする請求項１記載のプール床。
【請求項５】
バネにより常にはプール床側面より側方に突出されるように付勢され、プールサイド或いはプール側壁とプール床側端面との間の隙間を遮蔽する遮蔽具を設けたことを特徴とする請求項１〜４のいずれかの請求項に記載のプール床。
【請求項６】
プール床は中空部に内外に通ずる無数の通気孔を有しており、プール外に設置した圧縮空気源より圧縮空気が供給手段を介してプール床の中空部に供給されることを特徴とする請求項１〜５のいずれかの請求項に記載のプール床。
【発明の詳細な説明】
【０００１】
【発明が属する技術分野】
本発明は、プールに設置され、昇降、屈折或いは傾斜してプールの水深が一律に或いは次第に深くなるように変化させて渚をつくることもできるようにしたプール床に関する。
【０００２】
【従来技術】
プールに昇降可能なプール床を設置してプールの水深を変えられるようにしたものは既知で、プールサイドの内部に無端状のワイヤー又はチェーンと、該ワイヤー又はチェーンが掛けられるプーリ又はスプロケットと、このプーリ又はスプロケットを回転駆動させる減速機付きモータ等よりなる動力装置とからなる昇降装置を設置して、ワイヤー又はチェーンにプール床を連結し、ワイヤー又はチェーンを循環駆動させてプール床を昇降させるタイプのもの、プール床を下方より支持する水圧シリンダーを多数設置し、該シリンダーによりプール床を昇降させるタイプのもの、天井からプール床をワイヤー又はチェーンにより吊持し、ワイヤー又はチェーンの巻取り或いは巻戻しによりプール床を昇降させるタイプのものなど種々のタイプのものが知られ、プール床を昇降させる際の動力を軽減するため、プール床を中空にして浮力を持たせるようにしたものも知られる。
【０００３】
プール床としてはまた、プールの幅や長さの例えば半分程度の幅や長さを有してプールの一部に設置され、プール底とプール床とで水深の深いところと浅いところができるようにしたものも知られる。
【０００４】
【発明が解決しようとする課題】
プール底がプールの一部に設置される場合、プール床に剛性を持たせれば、プール床を水面上まで上昇させることによってプールサイドとして使用することができるが、上述する従来のタイプのもの、例えばプールサイド内部に無端状のワイヤー又はチェーンを配置してプール床を昇降させるタイプのものに適用した場合、プール床に浮力を持たせて昇降時の動力を軽減させるようにしたとしても、無端状のワイヤー又はチェーンの長さは少なくともプール床に達するまでの長さが必要であり、しかもプール床の一辺を複数か所で支持する必要があるから、ワイヤーやチェーンも複数か所に設ける必要があり、構成が複雑となること、ワイヤー又はチェーンの伸びによりプール床を所定位置に精度よく位置決めして停止させることが困難で、プールサイドとの間に段差が生じがちである等の難点があり、また水圧シリンダーによるタイプのものでは、プール底に水圧シリンダーを設置するための凹所を設ける必要があり、水圧シリンダーも多数必要で、構成が複雑となるほか、メンテナンスが面倒となる等の難点がある。
【０００５】
天井吊り下げ方式によるタイプのものも構造が概して複雑であるうえ、プール床を吊り下げるワイヤーやチェーンが露出して邪魔になりがちである。
上記はプール床がプールの一部に設置される場合のものであるが、プール床がプールと同じ大きさを有してプールの全面に設置される場合にも、プール床をプールサイドと段差のない位置まで上昇させてフロアとして使用すべく、上記タイプのものに適用しようとすると、上記と同様の問題を生ずる。
【０００６】
本発明の第１の目的は、プールに昇降可能に設置されるプール床において、プール床を昇降させる昇降装置の構造を簡単にしようとするものであり、第２の目的は、上昇したプール床を所定位置に精度よく位置決めできるようにするものである。
プールではまた、水はけがよくなるようにプール底を傾斜させて中央部で最も深くなるようにしたものが多いが、従来のプール床は深さが一律で、次第に深くなるようにしたものや、渚ができるようにしたものはない。
【０００７】
本発明の第３の目的は、プールに設置されるプール床を傾斜させたり、屈折させて次第に深くなるようにしたり、渚ができるようにするものである。
プール床を傾斜させると、プール床側端面とプールサイド或いはプール側壁との間にＶ形状の隙間ができ、該隙間に足を取られたり、見映えを損ないがちである。
【０００８】
本発明の第４の目的は、プール床を傾斜させてもプール床側端面とプールサイド或いはプール側壁との間の隙間を遮蔽して上記のような問題を生じないようにするものである。
本発明の第５の目的は、公衆浴場で泡風呂としてよく見られるように、プール床から気泡を吹き出してバブリングが行えるようにし、プールに趣向を凝らすことができるようにするものである。
【０００９】
【課題の解決手段】
請求項１に係わる発明は、第１の目的を達成し、プールに昇降可能に設置されるプール床に関するもので、少なくとも一部が中空で、全体の重量よりも浮力が勝り、多数の人が載っても撓んで水面下に沈むことのない程度の浮力と剛性を有しており、下面には複数か所にワイヤー、チェーン、ロープ等（以下、単に「ワイヤー等」という）が連結されると共に、該ワイヤー等がプール外に導出され、ワイヤー等を繰出し或いは引込む作動装置に連結されることを特徴とする。
【００１０】
本発明によると、水面上に浮上がろうとするプール床が、下方よりワイヤー等で引張られて支持され、作動装置でワイヤー等を繰出し或いは引込むことによりプール床が昇降する。水面上に浮上がった状態では、プールサイドとして或いはフロアとして使用することが可能である。
【００１１】
本発明においては、プール内にはワイヤー等と、ワイヤー等をガイドするシーブ或いはスプロケットが配設されるだけであり、またワイヤー等は複数を束ねて一つの作動装置で牽引することも可能であり、構成が簡単となる。
本発明で用いる作動装置としては、例えばワイヤー等を巻取るドラムを有する巻取装置、ラック上を転動するピニオンを有し、ピニオンを回転駆動することによりラック上を転動してワイヤー等を牽引する牽引装置、油圧シリンダー等よりなり、油圧シリンダーの作動によりワイヤー等を牽引する牽引装置を例示することができる。
【００１２】
請求項２に係わる発明は、第２の目的を達成するプール床に関するもので、請求項１に係わる発明において、プール床側端面にストッパーを突設する一方、プール側壁に上記ストッパーに係止してストッパーの上昇を阻止する係止部を設けたことを特徴とする。
本発明によるとプール床はストッパーが係止部に係止するまで上昇可能であり、これにより所定位置に位置決めされる。
【００１３】
請求項３に係わる発明は、第３の目的を達成するプール床に関するもので、請求項１に係わる発明において、ワイヤー等がプール床の下面一側に適当間隔で連結される第１の複数のワイヤー等と、プール床の下面他側又は該他側と上記一側の間の中間部に適当間隔で連結される第２の複数のワイヤー等とからなり、作動装置が、束ねられる上記第１の複数のワイヤー等に連結される第１の作動装置と、束ねられる上記第２の複数のワイヤー等に連結される第２の作動装置とからなることを特徴とする。
【００１４】
本発明によると、例えば第１の作動装置により第１のワイヤー等のみを引込み、或いは第２のワイヤー等の引込み量より第１のワイヤー等の引込み量を多くすると、プール床は第２のワイヤー等に支持される側が上位置に、第１のワイヤー等に支持される側が下位置となるように傾斜する。プール床を水面上に浮上させた状態で一方の側のワイヤー等のみを引込むと、他方のワイヤー等に支持される側が水面上に浮上した状態で一方の側が水面下に沈んで傾斜し、渚ができるようになる。
【００１５】
請求項４に係わる発明は、第３の目的を達成する別のプール床に関するもので、請求項１に係わる発明において、プール床が複数に分割されてヒンジにより互いに屈折可能に連結されると共に、ワイヤー等がプール床の下面一側に適当間隔で連結される第１の複数のワイヤー等と、プール床の下面他側に適当間隔で連結される第２の複数のワイヤー等と、プール床下面の屈折箇所或いは屈折箇所近くに適当間隔で連結される第３の複数のワイヤー等とからなり、作動装置が、束ねられる上記第１の複数のワイヤー等に連結される第１の作動装置と、束ねられる上記第２の複数のワイヤー等に連結される第２の作動装置と、束ねられる上記第３の複数のワイヤー等に連結される第３の作動装置と、上記第１、第２及び第３の作動装置を制御する制御装置とからなることを特徴とする。
【００１６】
本発明によると、制御装置で各作動装置を制御して第１、第２、第３の巻取り量や繰り出し量を調整することにより、プール床を一直線状に傾斜させたり、屈折して傾斜させることができ、また渚をつくることも可能であるうえ、谷状に屈折させたり凹状や彎曲状に屈曲させることもできる。例えば屈折か所が一か所であれば、谷状に屈折させることができ、屈折か所が二か所であれば、台形状に屈折させることができる。
【００１７】
請求項５に係わる発明は、第４の目的を達成するプール床に関するもので、請求項１〜４に係わる発明において、バネにより常にはプール床側面より側方に突出されるように付勢され、プールサイド或いはプール側壁とプール床側端面との間の隙間を遮蔽する遮蔽具を設けたことを特徴とする。
本発明によると、プール床が傾斜することによって形成されるプール側壁とプール床側端面との間のＶ状の隙間がプール床の傾きが増すにつれ、拡がるようなことがあっても遮蔽具がプール床側端面より突出することにより遮蔽される。
【００１８】
本発明の遮蔽具としては、例えばプール床にスライド可能に支持され、バネによってプール床より側方に突出するように付勢されるプレート状の遮蔽板、図１及び図２に示すように中間部がプール床１に取付けられたブラケット２に回動可能に軸支され、ブラケット２との間に掛けられたバネ３によって図の時計方向に、すなわち上端がプール床１より側方に突出するように付勢されるアーム４と、アーム４上端に固着され、プール床１が傾斜すると、プール床１より側方に突出するプレート５よりずり出す遮蔽板６を例示することができる。なお、図１及び図２において、８は、プール床１の昇降によってプール側壁９を転動し、プール床１の昇降をスムースに行わせるために設けられるコロを示す。
【００１９】
請求項６に係わる発明は、第５の目的を達成するプール床に関するもので、請求項１〜５に係わる発明において、プール床は中空部に内外に通ずる無数の通気孔を有しており、プール外に設置した圧縮空気源より圧縮空気が供給手段を介してプール床の中空部に供給されることを特徴とする。
本発明によると、プール床の中空部に形成した無数の通気孔よりエアが吹出し、プール床上をバブリングする。
【００２０】
【発明の実施の形態】
図３において、１１はプール中央に横方向に移動可能或いは昇降可能な可動壁で、その両側にはプール床１が配設されている。
各プール床１はそれぞれ、中央で分割されて図４に示すようにヒンジ１２で谷状に屈折可能に連結されており、ヒンジ両側のプール床１ａ、１ｂはそれぞれ両端を封鎖して密閉した金属製角パイプ１３を格子状に組み合わせて構成される矩形状のフレーム１４と、フレーム１４上に掛け渡される桟１５上に敷設される中空状の樹脂製床材１６よりなり、プール床１の一部を構成する床材１６には図示していないが、表面に無数の通気孔が形成されている。こうしてフレーム１４、桟１５及び床材１６より構成されるプール床１は全体積（水中での総排水量）と水の比重の積よりなる浮力がプール床１の重量より大で、その上に数１０人の人が載っても水面下に沈むことのない浮力と、撓まない剛性を有している。プール床１はこうして浮力が重量より勝ることにより水面上に浮上しようとするが、その浮上は、図５に示すようにプール床側端面の適所に突出して設けられるストッパー１７がプール側壁９に形成される係止部としての段１８に当たるまで行われ、段１８に当たって係止することにより上昇位置に位置決めされるようになっている。
【００２１】
可動壁両側のプール床１の下面にはそれぞれ、一側と他側とヒンジ両側においてそれぞれワイヤー２１、２２、２３、２４が４本ずつ等間隔で連結され、各ワイヤー２１、２２、２３、２４はシーブ２５に掛けられて束ねられ、プール外に導出されて縦向きに並設される４個の油圧シリンダー２７、２８、２９、３０にそれぞれ連結されるようになっており、各油圧シリンダー２７、２８、２９、３０はいずれも図５に示すようにベース３１に縦設され、ロッド端にシーブ３２を軸支している。ここでプール床一側に連結されるワイヤー２１が第１のワイヤー等、他側に連結されるワイヤー２４が第２のワイヤー等、ヒンジ両側に連結されるワイヤー２２、２３が第３のワイヤー等に相当するものであり、束ねた４本のワイヤー２１が掛けられるシーブ３２を備えた油圧シリンダー２７が第１の作動手段、同じくワイヤー２４が掛けられるシーブ３２を備えた油圧シリンダー３０が第２の作動手段、ワイヤー２２、２３が掛けられるシーブ３２を備えた油圧シリンダー２８、２９が第３の作動手段に相当するもので、シーブ３２に掛けられたワイヤー２１、２２、２３、２４はそれぞれベース３１に固定されるようになっている。
【００２２】
上述の油圧シリンダー２７、２８、２９、３０は、図７に示すように、制御装置３４によって制御され、制御装置３４に組み込まれたプログラムによって油圧シリンダー２７、２８、２９、３０の図示しない電磁切換弁の切換が制御されるようになっている。すなわち制御装置３４に設けられるボタン操作により一つのプログラムを選択すると、油圧シリンダー２７、２８、２９、３０のうち、油圧シリンダー２８、２９、３０のシーブ３２の突出量が段階的に変化し、ワイヤー２２、２３、２４の繰り込み量がワイヤー２２、ワイヤー２３、ワイヤー２４の順に増加してプール床１が図８に示すように一側が浮上位置、他側に向かうにつれ降下して傾斜し、一側で渚ができるようになっている。
【００２３】
別のプログラムを選択すると、油圧シリンダー２７、２８、２９、３０のうち、油圧シリンダー２８、２９のシーブ３２のみが同量突出し、ワイヤー２２、２３のみが一定量繰り込まれてプール床１が図９に示すように谷状に屈折し、一側と他側の両側で渚ができるようになっている。
【００２４】
更に別のプログラムを選択すると、油圧シリンダー２７、２８、２９、３０のうち、油圧シリンダー２８のシーブ３２が一定量、油圧シリンダー２９、３０のシーブ３２がそれより若干多く突出し、ワイヤー２３、２４の繰り込み量が同量で、ワイヤー２２の繰り込み量より若干多く繰り込まれ、これによりプール床１が図１０に示すようにプール床１ａは傾斜し、プール床１ｂは水平となるように屈折する。
【００２５】
更に別のプログラムを選択すると、各油圧シリンダー２７、２８、２９、３０のシーブ３２が一定量ずつ突出し、各ワイヤー２１、２２、２３、２４の繰り込み量が同量となってプール床１ａが水平となって降下するようになっている。
プール床には図３に示すように、ブロワ３６が設置され、ブロワ３６よりプール内に配管された供給手段としての送気管３７、ホース（図示しない）を経て床材１６にエアが供給され、床材１６よりエアを噴出してバブリングを行うようになっている。
【００２６】
【発明の効果】
請求項１に係わる発明によると、プール内にはワイヤー等をガイドするシーブ或いはスプロケットが配設されるだけで、ワイヤー等は複数を束ねて一つの作動装置で牽引することができ、また作動装置はプール外に設置され、プール内に配設されるワイヤー等とシーブ或いはスプロケットはそのまゝで使用することができ、水密構造を必要とするものがないから、構造を簡単にすることができる。
【００２７】
請求項２に係わる発明によると、プール床の浮上を一定位置に精度よく確実にとどめることができる。
請求項３に係わる発明によると、プール床を傾斜させたり、プール床の一側で渚を作ることもできる。
【００２８】
請求項４に係わる発明によると、プール床を平行に昇降させることができることはもちろん、一ないし複数か所で屈折させることにより一直線状に傾斜させたり、谷状、台形状、その他種々の形状に屈折させることができる。
請求項５に係わる発明によると、プール床の傾きやその程度の如何にかかわらず、遮蔽具でプールサイドやプール側壁面との隙間を遮蔽することができる。
請求項６に係わる発明によると、プール床からバブリングすることによりプールを興趣のあるものとすることがある。
【図面の簡単な説明】
【図１】遮蔽具の一例を示す断面図。
【図２】プール床が傾いたときの状態を示す断面図。
【図３】プール床の平面図。
【図４】図３のＡ−Ａ線断面図。
【図５】プール床を位置決めする手段を示す図。
【図６】作動手段として用いられる油圧シリンダーの正面図。
【図７】油圧シリンダーと制御装置のブロック図。
【図８】プール床を傾斜させた態様を示す図。
【図９】プール床を谷状に屈折させた態様を示す図。
【図１０】プール床を傾斜させて水平に延ばした態様を示す図。
【符号の説明】
１、１ａ、１ｂ・・プール床
２・・ブラケット
３・・バネ
４・・アーム
５・・プレート
６・・遮蔽板
８・・コロ
９・・プール側壁
１１・・可動壁
１２・・ヒンジ
１３・・金属製角パイプ
１４・・フレーム
１５・・桟
１６・・樹脂製床材
１７・・ストッパー
１８・・段
２１、２２、２３、２４・・ワイヤー
２５、３２・・シーブ
２７、２８、２９、３０・・油圧シリンダー
３１・・ベース
３４・・制御装置
３６・・ブロワ
【図１】
2004270288.tif 000003
【図２】
2004270288.tif 000004
【図３】
2004270288.tif 000005
【図４】
2004270288.tif 000006
【図５】
2004270288.tif 000007
【図６】
2004270288.tif 000008
【図７】
2004270288.tif 000009
【図８】
2004270288.tif 000010
【図９】
2004270288.tif 000011
【図１０】
2004270288.tif 000012